(57)【特許請求の範囲】
【請求項１】
軟質合成樹脂フィルムを両側から箱ひだ状に折りたたんで両縁部を真中で合わせた状態で巻き付けた巻き付け層からなり、１回の使用にあたって費される平均的長さ毎に幅方向の切断案内線を入れてあることを特徴とする、切断案内線でカットして平らにひろげて食品工場用の食品の包装に用いるためのロール状軟質合成樹脂フィルム。
【請求項２】
食品工場用の食品が食品工場用の惣菜である請求項１のロール状軟質合成樹脂フィルム。
【請求項３】
巻き付け層が、芯材にロール状に巻き取られて形成されたものである請求項１または２のロール状軟質合成樹脂フィルム。
【請求項４】
芯材が紙管からなる請求項３のロール状軟質合成樹脂フィルム。
【請求項５】
巻き付け層が、包装する物品と接触する面が内側になるように巻き付けた層である請求項１ないし４のいずれかのロール状軟質合成樹脂フィルム。
【請求項６】
軟質合成樹脂フイルムが食品包装用の薄肉ポリエチレンフィルムである請求項１ないし５のいずれかのロール状軟質合成樹脂フィルム。
【請求項７】
薄肉ポリエチレンフィルムが厚さ１０〜２０ミクロンのものである請求項６のロール状軟質合成樹脂フィルム。
【発明の詳細な説明】
【０００１】
【産業の属する技術分野】
本発明は、平らにひろげて食品工場用の食品の包装に用いるロール状軟質合成樹脂フィルムに関する。
【０００２】
【従来の技術】
各種総菜類は、消費者の手にわたるまでに、薄肉のフィルムに包まれて食品製造工場から食品製造工場へと、あるいは料理店、コンビニエンスストア等へと運ばれる。包装する際、作業者は、紙管に巻き取られているフィルムを、包装する対象の食品に最適な大きさに切りとって使用することになる。このような作業は、食品の種類が多く、それぞれを別々に包むため、多大な労力を必要とする。また、紙管に巻き取られているフィルム自体が大きく、取扱いが不便であるため、切り取って広げながら包装するといった作業には不向きである。さらにまた、筒体に巻回した包装用フィルムは所望の長さのフィルムを引き出して使うようになっているが、フィルムどうしが密着してフィルム切断端を探すためには大変な労力が必要となる等の問題が発生している。
【０００３】
【発明が解決しようとする課題】
本発明は食品工場用の食品を安全に簡単に包装することができるロール状軟質合成樹脂フィルムの提供を目的とする。
より具体的には、本発明は、ロール状軟質合成樹脂フィルムにおいて、使い始めに際して、容易にフィルムの端辺部を引き出すことができるように、引出し易さの向上を図ったものである。また、本発明は、引出し易さを犠牲にすることなくコストの低減を図ったものである。
【０００４】
【課題を解決するための手段】
本発明は、軟質合成樹脂フイルムを両側から箱ひだ状に折りたたんで両縁部を真中で合わせた状態で巻き付けた巻き付け層からなることを特徴とするロール状軟質合成樹脂フィルムを要旨としている。
巻き付け層が、芯材、好ましくは紙管にロール状に層状に巻き取られて形成されたものであり、その場合、本発明は、軟質合成樹脂フイルムを両側から箱ひだ状に折りたたんで両縁部を真中で合わせた状態で芯材、好ましくは紙管にロール状に層状に巻き取られて形成された巻き付け層からなることを特徴とするロール状軟質合成樹脂フィルムである。
【０００５】
巻き付け層が、好ましくは包装する物品と接触する面が内側になるように巻き付けた層であり、その場合、本発明は、軟質合成樹脂フイルムを両側から箱ひだ状に折りたたんで両縁部を真中で合わせた状態で、包装する物品と接触する面が内側になるように巻き付けた、必要により芯材、好ましくは紙管に巻き付けた巻き付け層からなることを特徴とするロール状軟質合成樹脂フィルムである。
【０００６】
フィルムに、１回の使用にあたって費される平均的長さ毎に、幅方向の切断案内線を入れてあり、その場合、本発明は、軟質合成樹脂フイルムを両側から箱ひだ状に折りたたんで両縁部を真中で合わせた状態で、かつ、１回の使用にあたって費される平均的長さ毎に、幅方向の切断案内線を入れた状態で巻き付けた、必要により芯材、好ましくは紙管に巻き付けた、好ましくは、包装する物品と接触する面が内側になるように巻き付けた巻き付け層からなることを特徴とするロール状軟質合成樹脂フィルムである。
【０００７】
軟質合成樹脂フイルムは、食品包装用の薄肉ポリエチレンフィルムであり、より具体的には平らにひろげて食品工場用の食品の包装に用いるものであり、その場合、本発明は、食品包装用の薄肉ポリエチレンフィルム、より具体的には平らにひろげて食品工場用の食品の包装に用いる軟質合成樹脂フイルムを両側から箱ひだ状に折りたたんで両縁部を真中で合わせた状態で、必要により１回の使用にあたって費される平均的長さ毎に、幅方向の切断案内線を入れた状態で巻き付けた、必要により芯材、好ましくは紙管に巻き付けた、好ましくは、包装する物品と接触する面が内側になるように巻き付けた巻き付け層からなることを特徴とするロール状軟質合成樹脂フィルムである。
【０００８】
【発明の実施の形態】
本発明におけるフィルムの素材である軟質合成樹脂とは、ポリエチレン、エチレン・αオレフィン共重合樹脂、エチレン酢酸ビニール共重合樹脂、ポリプロピレン、ポリ塩化ビニール、ポリ塩化ビニリデン、およびそれらの類似物を含むものであるが、好ましくは食品包装用の薄肉ポリエチレンフィルムである。
【０００９】
薄肉ポリエチレンフィルムは、厚さ１０〜２０ミクロン程度、広げた幅が約０．５〜１．５ｍ、長さ約８００〜１５００ｍの帯状の軟質合成樹脂フィルムを両側から箱ひだ状に折りたたんで両縁部を真中で合わせた状態で巻き付けた巻き付け層を形成する。包装する物品が食品である場合、それと接触する面が内側になるように巻き付けることが好ましい。ひだを付けて折って円筒状に形成してあるため、使い始めから、容易に引き出すことができる。
【００１０】
芯材はその材料は特に制限がないが、紙管が好ましい。主として包装用の従来のロール状軟質合成樹脂フィルムは、フィルム巻き付け層全体の円筒形状を維持させるために、円筒形の硬質の紙芯を必要としている。そのため、製造コスト面で不利であるとともに、フィルムを使い終れば、紙芯は廃棄物となり、その廃棄と処理のための手間とコストも、無視し難いものとなっている。しかし、紙芯を廃止すると、フィルム巻き付け層の形状が崩れ易くて、最後まで無駄なく円滑に使いきることは困難となる。本発明においては、フイルムをひだを付けて折って巻き付けて円筒を形成しているため、従来のような太い紙芯（直径約３インチ）を細くしている（直径約１．５インチ）にも拘らず、形状が崩れたり、折り曲がったりすることはなく、使いやすい状態で使い切ることができる。
【００１１】
フィルムに、１回の使用にあたって費される平均的長さ毎に、幅方向の切断案内線を入れておくのがよい。
【００１２】
【作用】
（１）ひだを付けて折って巻回し円筒を形成しているため、フィルムどうしが密着することがなく、フィルムの端辺部または切断端を探す苦労がなく、容易に引き出すことができる。
（２）フイルムをひだを付けて折って円筒状に形成してあるため、従来のような太い紙芯を細くしているにも拘らず、形状が崩れたり、折り曲がったりすることはない。従って紙芯を細くした分、コストの低減は可能となり、また不要となった紙芯の処理に伴う費用の低減もはかれる。
（３）一定の長さ毎に、幅方向の切断案内線を入れておくと、使用に便利であるとともに、従来のように、カッターを設けておく必要はなくなるので、コストと廃棄処理に関する手間と費用を低減させることができる。
（４）包装する食品と接触する面が内側になるように巻き付けた層とすることにより、内面が常に安全に保護されており、安心してロール状フィルムを取り扱うことができる。
【００１３】
【実施例】
以下実施例に基づいてさらに説明する。なお、本発明は本実施例によって何ら制限されるものではないこというまでもない。
【００１４】
実施例
（食品工場用薄肉ポリエチレンフィルム）食品包装用のロール状軟質合成樹脂フィルム
本発明の実施例を、図面にしたがって説明する。図１に明示するように、
薄肉ポリエチレンフィルム（２）は、厚さ１５ミクロン、広げた幅約１１０ｃｍ、長さ約９００ｍの帯状のものを用いた。芯材は、直径約１．５インチの紙管（３）でできている。従来のような太い紙芯（直径約３インチ）を細くしている。
薄肉ポリエチレンフィルム（２）を両側からはこひだ（折り目）（４）を付けて折りたたんで、両縁部（５）を真中で合わせた状態で巻き付けた巻き付け層（６）を形成して、食品包装用のロール状軟質合成樹脂（ポリエチレン）フィルム（１）とする。包装する物品が食品工場で製造した総菜類であるので、それと接触する面が内側になるように巻き付けた。はこひだ（折り目）の存在で、使い始めから、巻き終り部分（７）を容易に引き出すことができる。
【００１５】
図２は、図１に示す食品工場用ロール状薄肉ポリエチレンフィルム（１）の巻き終り部分(７)を引き出し１回の使用分をカットしたもの（８）の概略図である。実際は引きちぎったものは薄肉フィルムであるため形は崩れている。
１回の使用にあたって費される平均的長さ毎に、幅方向の切断案内線を入れてある。ほぼ正方形になるように、幅約１１０ｃｍと同じ長さ毎に、大きなミシン目を入れてあり、フィルム切断端はギザギザ（図示省略）している。
【００１６】
図３は、図２の１回の使用分をほぼ正方形に広げて総菜包装に使用する態様を示す斜視図である。平らにひろげて食品工場で製造した総菜の包装に用いるものである。ひだが残った状態で１回分を分取できるため、フイルムの密着がなく簡単に一枚のシートに広げることが可能である。総菜と接触する面を上にして容器（９）に広げ、総菜を入れて包み込み、必要によりさらに別のフイルムを重ね、同一あるいは別の総菜を入れて包み込み、容器とともに輸送される。
【００１７】
【発明の効果】
包む量や大きさや形の変化に対応できる安全に簡単に食品を包装することができる使用者にとって格段に使い勝手が良い極めて実用性に優れるロール状軟質合成樹脂フィルムを提供することができる。
【図面の簡単な説明】
【図１】本発明のロール状軟質合成樹脂フィルムを説明する図面である。
【図２】ロールフィルムの巻き終部分を引き出し１回の使用分をカットしたフィルムを説明する図面である。
【図３】平らにひろげて食品工場用の食品の包装に用いる態様を説明する斜視図である。
【符号の説明】
１  食品包装用のロール状軟質合成樹脂（ポリエチレン）フィルム
２  薄肉ポリエチレンフィルム
３  芯材（紙管）
４  はこひだ（折り目）
５  両縁部
６  巻き付け層
７  巻き終り部分
８  １回の使用分をカットしたフィルム
９  容器
【図１】
0004246844.tif 000002
【図２】
0004246844.tif 000003
【図３】
0004246844.tif 000004